(57)【要約】【課題】併用される吸収パッドの身体の股間部へのフィット性に優れ、液漏れを起こし難いパッドホルダーを提供すること。【解決手段】レッグ開口部６の開口周縁部にレッグ部弾性部材６１が配されて太腿ギャザーが形成されており、該太腿ギャザーは、パッドホルダー１の着用時において、股下部４と同じ高さか、又は該股下部４より下方に位置しており、前身頃２、後身頃３及び股下部４の形成材料である伸縮性シート１０の該パッドホルダー１の縦方向における１．０Ｎ／５０ｍｍ荷重時の伸度が３０〜１２０％であり、該伸縮性シート１０の該パッドホルダー１の横方向における１．０Ｎ／５０ｍｍ荷重時の伸度が２５〜９０％であり、前身頃２に、着用者のそけい部に沿ってそけい部弾性部材７１，７１が配されてそけいギャザーが形成されている。【選択図】図１
2008284038.tif 000002
【特許請求の範囲】
【請求項１】
前身頃、後身頃及びこれら両者間に位置する股下部を有し、該前身頃、該後身頃及び該股下部がそれぞれ伸縮性シートから形成されており、ウエスト開口部及び一対のレッグ開口部を有し、該股下部に吸収パッドが取り付けられて着用されるパッドホルダーであって、
前記レッグ開口部の開口周縁部にレッグ部弾性部材が配されて太腿ギャザーが形成されており、該太腿ギャザーは、前記パッドホルダーの着用時において、前記股下部と同じ高さか、又は該股下部より下方に位置しており、
前記伸縮性シートの前記パッドホルダーの縦方向における１．０Ｎ／５０ｍｍ荷重時の伸度が３０〜１２０％であり、該伸縮性シートの該パッドホルダーの横方向における１．０Ｎ／５０ｍｍ荷重時の伸度が２５〜９０％であり、
前記前身頃に、着用者のそけい部に沿ってそけい部弾性部材が配されてそけいギャザーが形成されているパッドホルダー。
【請求項２】
前記そけい部弾性部材の１．５倍伸張時の収縮応力が、前記レッグ部弾性部材の１．５倍伸張時の収縮応力よりも大きい請求項１記載のパッドホルダー。
【請求項３】
前記後身頃に、着用者の臀部に沿って臀部弾性部材が配されて臀部ギャザーが形成されている請求項１又は２記載のパッドホルダー。
【請求項４】
前記そけいギャザーが、前記ウエスト開口部側に向けて凸状に湾曲した円弧状に形成されており、前記臀部ギャザーが、前記レッグ開口部側に向けて凸状に湾曲した円弧状に形成されている請求項３記載のパッドホルダー。
【請求項５】
前記股下部の肌対向面上に、前記伸縮性シートよりも伸縮性に劣り且つ防水性を有する股布が配されており、
前記そけいギャザー及び前記臀部ギャザーそれぞれの一部が前記股布で被覆され、且つ該一部と該一部を被覆している該股布との間がそれぞれ接合されている請求項３又は４記載のパッドホルダー。
【請求項６】
前記前身頃における前記そけいギャザーと前記ウエスト開口部の開口周縁部との間、及び前記後身頃における前記臀部ギャザーと前記ウエスト開口部の開口周縁部との間それぞれに、前記パッドホルダーの横方向に沿って弾性部材が配されてパッドフィットギャザーが形成されている請求項３〜５の何れかに記載のパッドホルダー。
【発明の詳細な説明】
【技術分野】
【０００１】
本発明は、尿や経血等の体液を吸収する吸収パッドと併用されるパッドホルダーに関し、詳しくは、吸収パッドの股間部へのフィット性を高め、防漏性を向上させ得るパッドホルダーに関する。
【背景技術】
【０００２】
従来、病院や老人ホーム、在宅介護の現場等においては、パッドホルダーの股下部の肌対向面上に吸収パッドを取り付けた状態で該パッドホルダーを着用し、吸収パッドが液を吸収し難くなった場合は、吸収パッドのみを新品と交換し、パッドホルダーは、必要に応じ洗濯をした上で、再利用することが行われている。これにより、使い捨ておむつ等を使用する場合に比して、ゴミの量やコストの削減を図ることができる。
【０００３】
パッドホルダーとしては、前身頃、後身頃及びこれら両者間に位置する股下部を有し、該前身頃及び該後身頃がそれぞれ伸縮性シートから形成されており、ウエスト開口部及び一対のレッグ開口部を有し、該股下部に吸収パッドが取り付けられて着用されるものが知られている。斯かる構成のパッドホルダーの中でも、特に、トランクス型（ボクサーパンツ型）のパッドホルダー、即ち、着用時においてレッグ開口部の開口周縁部が股下部より下方に位置するタイプのパッドホルダーは、レッグ開口部の開口周縁部がウエスト開口部に接近したいわゆるハイレッグ型（ブリーフパンツ型）のパッドホルダーに比して、吸収パッドの位置ずれを起こし難く、パッドの保持性が高いため、広く普及している。このようなトランクス型のパッドホルダーにおいては、該パッドホルダーの股下部に取り付けられた吸収パッドの外部へのはみ出しを防止する目的で、一対のレッグ開口部それぞれの開口周縁部にレッグ部弾性部材が配されて太腿ギャザーが形成されており、該太腿ギャザーが着用者の太腿部を締め付けるようになされている（例えば特許文献１参照）。
【０００４】
しかし、上述した従来のトランクス型のパッドホルダーは、吸収パッドの身体の股間部へのフィット性が充分ではなく、防漏性に問題があった。即ち、従来のトランクス型のパッドホルダーは、これを着用する際に、常法通り一対のレッグ開口部それぞれに足を通した状態で該パッドホルダーのウエスト部を摘んで全体を引き上げると、太腿ギャザー（レッグ部弾性部材）が身体の太腿部における本来位置すべき箇所より下方で引っかかってしまう。そして、この状態で更に引き上げられると、パッドホルダーを構成する伸縮性シートの作用によって、太腿ギャザーが途中で引っかかったままパッドホルダー全体が縦方向に引き伸ばされ、この結果、ウエスト部は所望の位置まで引き上げられているものの、股下部は充分に引き上げられず、該股下部に取り付けられた吸収パッドが身体の股間部に密着していない状態で使用されるため、液漏れが生じるという問題があった。
【０００５】
【特許文献１】特開２００２−６６０号公報
【発明の開示】
【発明が解決しようとする課題】
【０００６】
従って本発明の目的は、併用される吸収パッドの身体の股間部へのフィット性に優れ、液漏れを起こし難いパッドホルダーを提供することにある。
【課題を解決するための手段】
【０００７】
本発明は、前身頃、後身頃及びこれら両者間に位置する股下部を有し、該前身頃、該後身頃及び該股下部がそれぞれ伸縮性シートから形成されており、ウエスト開口部及び一対のレッグ開口部を有し、該股下部に吸収パッドが取り付けられて着用されるパッドホルダーであって、前記レッグ開口部の開口周縁部にレッグ部弾性部材が配されて太腿ギャザーが形成されており、該太腿ギャザーは、前記パッドホルダーの着用時において、前記股下部と同じ高さか、又は該股下部より下方に位置しており、前記伸縮性シートの前記パッドホルダーの縦方向における１．０Ｎ／５０ｍｍ荷重時の伸度が３０〜１２０％であり、該伸縮性シートの該パッドホルダーの横方向における１．０Ｎ／５０ｍｍ荷重時の伸度が２５〜９０％であり、前記前身頃に、着用者のそけい部に沿ってそけい部弾性部材が配されてそけいギャザーが形成されているパッドホルダーを提供することにより、前記目的を達成したものである。
【発明の効果】
【０００８】
本発明のパッドホルダーは、併用される吸収パッドの身体の股間部へのフィット性に優れ、液漏れを起こし難い。
【発明を実施するための最良の形態】
【０００９】
以下、本発明のパッドホルダーを、その好ましい実施形態に基づき図面を参照して説明する。
図１は、本発明のパッドホルダーの一実施形態を前身頃と後身頃とが合わさる２つ折り状態で示した正面（前身頃側）図、図２は、図１に示す２つ折り状態のパッドホルダーの背面（後身頃側）図、図３は、図１に示すパッドホルダーを立体形状の状態（着用時の状態）で示した斜視図である。図３に示すパッドホルダーの立体形状は、着用時の形状に略等しい。
【００１０】
本実施形態のパッドホルダー１は、前身頃２、後身頃３、及び該前身頃２と該後見頃３との間に位置する股下部４を有しており、該前身頃２、該後身頃３及び該股下部４がそれぞれ伸縮性シート１０から形成されている。前身頃２は、パッドホルダー１の着用時に身体の腹側に配され、下腹部を覆う部分であり、後身頃３は、背側に配され、臀部を覆う部分である。股下部４は、パッドホルダー１の着用時に身体の股間部に配され、その肌対向面（パッドホルダー着用時に着用者の肌側に向けられる面）上に吸収パッド（図示せず）が取り付けられる部分である。
【００１１】
本実施形態のパッドホルダー１においては、パッドホルダーを構成する前身頃２、後身頃３及び股下部４が、連続する１枚の伸縮性シート１０から形成されている。即ち、これら前身頃２、後身頃３及び股下部４は、接合部分がないように丸編みにて接合されて構成されている。
【００１２】
パッドホルダー１の上側には、着用者のウエスト部分が挿通されて密着されるウエスト開口部５が開口されている。また、このパッドホルダー１の下側には、着用者の各太腿付近が挿通されて密着される一対のレッグ開口部６，６が開口されている。即ち、これら一対のレッグ開口部６，６それぞれは、パッドホルダー１の着用時における上下方向としての縦方向Ｌに沿って所定の長さ（身丈）を有する円筒状の脚部の先端部に形成されている。
【００１３】
ウエスト開口部５の開口周縁部には、ウエスト部弾性部材５１が伸張状態で環状に配されており、これによりウエストギャザーが形成されている。ウエスト部弾性部材５１は、縫い付け、あるいは接着剤等を用いた貼り付け等により、前身頃２及び後身頃３（伸縮性シート１０）に固定されている。ウエスト部弾性部材５１としては、例えば、ポリウレタン繊維で形成された伸縮性織布、合成ゴムシート、天然ゴムシート等が用いられる。
【００１４】
レッグ開口部６の開口周縁部には、レッグ部弾性部材６１が伸張状態で環状に配されており、これにより太腿ギャザーが形成されている。レッグ部弾性部材６１は、縫い付け、あるいは接着剤等を用いた貼り付け等により、前身頃２及び後身頃３（伸縮性シート１０）に固定されている。レッグ部弾性部材６１としては、上述したウエスト部弾性部材５１と同様のものを用いることができ、レッグ部弾性部材６１とウエスト部弾性部材５１とで弾性部材が同じでも良く、また、異なっていても良い。
【００１５】
本発明においては、前記太腿ギャザー（レッグ部弾性部材）は、パッドホルダーの着用時において、股下部と同じ高さか、又は股下部より下方に位置している。斯かる構成により、股下部に取り付けられた吸収パッドの外部へのはみ出しを効果的に防止し、防漏効果を向上することができる。特に、本実施形態のように、太腿ギャザーが股下部より下方に位置していることが、吸収パッドのはみ出し防止効果の点で好ましい。本実施形態のパッドホルダー１は、いわゆるトランクス型（ボクサーパンツ型）のパッドホルダーであり、図１及び図２に示すようにパッドホルダー１を前身頃２と後身頃３とが合わさるように着用者のウエスト側部に沿った折曲線１ａ，１ａで２つ折り状態にした場合において、太腿ギャザー（レッグ部弾性部材６１）は、股下部４より下方に位置している。股下部４の最下部４ａと太腿ギャザー（レッグ部弾性部材６１）の最下部との間の最短距離Ｈは、好ましくは０〜７０ｍｍ、更に好ましくは１０〜５０ｍｍである。最下部とは、当該部位（太腿ギャザー、股下部など）においてパッドホルダー着用時に最も下方に位置する部分を意味する。また、最短距離Ｈは、パッドホルダー１が未伸張（非着用）の自然状態にあるときに測定する。
【００１６】
また、図１及び図２に示すようにパッドホルダー１を前身頃２と後身頃３とが合わさるように着用者のウエスト側部に沿った折曲線１ａ，１ａで２つ折り状態にした場合において、ウエスト開口部５の開口周縁部（ウエスト開口部５の最上部）とレッグ開口部６の開口周縁部（レッグ開口部６の最下部）との間の最短距離Ｌ１（身丈）は、好ましくは１６０〜３６０ｍｍ、更に好ましくは１９０〜３３０ｍｍであり、また、ウエスト開口部５の開口周縁部と股下部４の最下部４ａとの間の最短距離Ｌ２（股上丈）は、好ましくは１６０〜３２０ｍｍ、更に好ましくは１８０〜３００ｍｍである。
また、Ｌ１とＬ２との比は、Ｌ１／Ｌ２＝１．００〜１．４５の範囲であることが好ましく、Ｌ１／Ｌ２＝１．０５〜１．３０の範囲であることが更に好ましい。
最短距離Ｌ１（身丈）、最短距離Ｌ２（股上丈）は、何れもパッドホルダー１が未伸張（非着用）の自然状態にあるときに測定する。
【００１７】
前身頃２、後身頃３及び股下部４それぞれは、上述したように伸縮性シート１０から形成されており、これにより、パッドホルダー１は、着用時における上下方向としての縦方向Ｌ、及び該縦方向Ｌと直交する横方向Ｓそれぞれに沿って伸縮可能に構成されている。伸縮性シート１０のパッドホルダー１の縦方向Ｌにおける１．０Ｎ／５０ｍｍ荷重時の伸度は３０〜１２０％、好ましくは３５〜９０％であり、伸縮性シート１０のパッドホルダー１の横方向Ｓにおける１．０Ｎ／５０ｍｍ荷重時の伸度は２５〜９０％、好ましくは３５〜８０％である。パッドホルダー１の主たる形成材料である、伸縮性シート１０の製品縦方向Ｌ及び製品横方向Ｓの上記伸度が、それぞれ上記範囲内にあることにより、着脱時におけるパッドホルダーの上げ下げが容易になり、取り扱い性が向上する。
伸縮性シート１０の上記伸度は、次のように測定される。
【００１８】
＜伸縮性シートの伸度の測定方法＞
測定対象のパッドホルダーから、縦方向Ｌに１５０ｍｍ、該縦方向Ｌと直行する横方向Ｓに５０ｍｍの寸法の長方形形状を切り出し、この切り出された長方形形状を測定サンプルとする。測定サンプルは、ウエスト部弾性部材５１及びレッグ部弾性部材６１を含まないように切り出す。また、パッドホルダーが該パッドホルダーを構成する各々のパーツを縫合してなる場合は、その縫合部を含まないように測定サンプルを切り出す〔縫合部を含まざるを得ない場合は、縫合部をできるだけ少なく含むように切り出すか、又は縫合部がチャック部（測定サンプルの前後２５ｍｍの部分）に位置するように測定サンプルを切り出す〕。測定対象のパッドホルダーから充分な寸法の測定サンプルを切り出せない場合は、チャック部（測定サンプルの前後２５ｍｍの部分）の寸法を小さくしても良い。
この測定サンプルを、その縦方向Ｌが引っ張り方向となるように、引張試験機のチャックに取り付ける。チャック間距離は１００ｍｍとする。測定サンプルを３００ｍｍ／分で引っ張り、荷重値が１．０Ｎの時における該測定サンプルの伸張時の長さ（伸張時にチャック間に位置する測定サンプルの長さ）を用い、下記式から縦方向Ｌの１．０Ｎ／５０ｍｍ荷重時の伸度を求める。
伸度（％）＝[（伸張時の長さ（mm）−１００（mm））／１００（mm）]×１００
また、上記パッドホルダーから、縦方向Ｌに５０ｍｍ、横方向Ｓに１５０ｍｍの寸法の長方形形状を切り出してこれを測定サンプルとし、この測定サンプルを、その横方向Ｓが引っ張り方向となるように、引張試験機のチャックに取り付け、上記と同様の手順により、横方向Ｓの１．０Ｎ／５０ｍｍ荷重時の伸度を求める。
【００１９】
伸縮性シート１０としては、例えば、合成繊維又は天然繊維により編織成されたネット状生地等を用いることができる。
【００２０】
パッドホルダー１の前身頃２には、着用者のそけい部に沿ってそけい部弾性部材７１，７１が伸張状態で配されて、そけいギャザーが形成されている。そけい部は、人間の胴と下肢のつなぎ目である足の付け根の部分、つまり、腹部と足との境目であり、股間部を挟んで左右対称位置に存在する。よって、そけい部弾性部材７１，７１も、左足、右足それぞれのそけい部に沿うように、非着用時において前身頃２を横方向Ｓに二分する仮想線Ｐ１を挟んで左右対称位置に配されている。右側のそけい部弾性部材７１と左側のそけい部弾性部材７１とは互いに独立していて、連接していない。そけいギャザーがあることにより、そけいギャザーが優先的にそけい部にフィットするので、従来のこの種のパッドホルダーで問題視された、パッドホルダーの股下部と身体の股間部との間の密着性の悪さが解消され、股下部に取り付けられた吸収パッドの股間部へのフィット性が向上し、優れた液漏れ防止効果が得られるようになる。
【００２１】
そけい部弾性部材７１（そけいギャザー）について更に説明すると、そけい部弾性部材７１は、パッドホルダー１を前身頃２と後身頃３とが合わさるように着用者のウエスト側部に沿った折曲線１ａ，１ａで２つ折りした状態（図１及び図２に示す状態）において、着用者のそけい部に沿うように股下部４の最下部４ａの近傍から折曲線１ａまでに亘って連続的に配されている。より具体的には、そけい部弾性部材７１は、その最下部７１ａが、股下部４の最下部４ａの近傍に位置し、その最上部７１ｂが、該最下部７１ａよりも上方で且つ前身頃２を縦方向Ｌに二分する仮想線Ｐ２よりも下方に位置するように配されている。そけい部弾性部材７１の最下部７１ａと股下部４の最下部４ａとの間の最短距離Ｌ３は、好ましくは０〜５０ｍｍ、更に好ましくは２０〜５０ｍｍである。そけい部弾性部材７１の最上部７１ｂと仮想線Ｐ２との間の最短距離Ｌ４は、好ましくは０〜１００ｍｍ、更に好ましくは３０〜８０ｍｍである。また、そけい部弾性部材７１の最下部７１ａと仮想線Ｐ１との間の最短距離Ｓ１は、好ましくは０〜７０ｍｍ、更に好ましくは２０〜５０ｍｍである。そけい部弾性部材７１の最上部７１ｂと該そけい部弾性部材７１に最も近い折曲線１ａとの間の最短距離Ｓ２は、好ましくは０〜３０ｍｍ、更に好ましくは０〜１０ｍｍである（本実施形態では、最短距離Ｓ２は０ｍｍであり、図１には、Ｓ２を図示していない）。最短距離Ｌ３、Ｌ４、Ｓ１、Ｓ２は、何れもパッドホルダー１が未伸張（非着用）の自然状態にあるときに測定する。
【００２２】
そけい部弾性部材７１は、前身頃２（伸縮性シート１０）に縫い付けられ、あるいは接着剤等の接着手段により貼り付けられる等して、固定されている。そけい部弾性部材７１としては、上述したウエスト部弾性部材５１と同様のものを用いることができる。
そけい部弾性部材７１の長さは、好ましくは１００〜２００ｍｍ、更に好ましくは１２０〜１８０ｍｍであり、幅は、好ましくは１〜３０ｍｍ、更に好ましくは３〜１５ｍｍである。
【００２３】
そけい部弾性部材７１の１．５倍伸張時の収縮応力（Ａ）は、そけいギャザーによる上述した効果（股下部のフィット性の向上、防漏効果）をより確実なものとする観点から、レッグ部弾性部材６１の１．５倍伸張時の収縮応力（Ｂ）よりも大きいことが好ましい。好ましくはＡ／Ｂ＝１．２〜４．０であり、更に好ましくはＡ／Ｂ＝１．５〜３．０である。
そけい部弾性部材７１の１．５倍伸張時の収縮応力は、好ましくは１００〜３００ｃＮ、更に好ましくは１５０〜２５０ｃＮである。
レッグ部弾性部材６１の１．５倍伸張時の収縮応力は、好ましくは３０〜２００ｃＮ、更に好ましくは８０〜１５０ｃＮである。
上記収縮応力は、次のように測定される。
【００２４】
＜弾性部材の１．５倍伸張時の収縮応力の測定方法＞
前身頃２と後身頃３との境界部分（折曲線１ａ）を切断し、パッドホルダー１を展開状態にした後、測定対象の弾性部材を切り出して測定サンプルとする。測定サンプルに測定対象の弾性部材以外の弾性部材が含まれる場合は、測定対象以外の弾性部材を取り除くか又は切断して、測定対象以外の弾性部材の収縮応力が発現しないように処理する。
この測定サンプルを、水平な面上に該測定サンプルの肌当接面側の外面が該水平な面に当接するように載置し、該測定サンプルが自然に収縮した状態において、その幅方向（＝パッドホルダーの幅方向）の両側縁部における上縁部と下縁部の長手方向中点を結んだ線の長さを測定し、この測定値から２０ｍｍを引いた値を自然長とする。
そして、この測定サンプルを、テンシロン引張試験機〔（株）オリエンテック社製、ＲＴＣ−１１５０〕のチャック間に固定し（測定サンプルの幅方向両端部から１０ｍｍ幅方向内側に入る領域をチャックで留める）、その時の荷重をゼロとする。その後、測定サンプルを、引張速度３００ｍｍ／分で、パッドホルダーの幅方向と同じ方向に前記自然長の１．５倍になるまで伸張させ、このときの応力を１．５倍伸張時の収縮応力とする。
【００２５】
本実施形態においては、そけい部弾性部材７１は、ウエスト開口部５側に向けて凸状に湾曲した円弧状を形成するように前身頃２に配されており、従って、そけいギャザーも該円弧状を形成している。そけいギャザーがこのような円弧状を有していることにより、そけいギャザーをそけい部に沿って直線状に形成した場合に比して、パッドホルダー１のそけい部へのフィット性、更には股下部４の身体の股間部へのフィット性が高まり、液漏れ防止効果の更なる向上が図られる。
【００２６】
また、本実施形態においては、図２に示すように、後身頃３に、着用者の臀部に沿って、より具体的には臀部の下側に沿って臀部弾性部材８１，８１が伸張状態で配されて、臀部ギャザーが形成されている。臀部弾性部材８１，８１は、非着用時において後身頃３を横方向Ｓに二分する仮想線Ｐ１を挟んで左右対称位置に配されている。右側の臀部弾性部材８１と左側のそけい部弾性部材８１とは互いに独立していて、連接していない。そけいギャザーに加えて臀部ギャザーが形成されていることにより、そけいギャザーのみが形成されている場合に比して、そけい部を含む足の付け根周りに対するパッドホルダーのフィット性が更に向上し、これにより、股下部４の股間部へのフィット性の一層の向上、及びこれによる防漏効果の一層の向上が図られる。
【００２７】
臀部弾性部材８１（臀部ギャザー）について更に説明すると、臀部弾性部材８１は、パッドホルダー１を前身頃２と後身頃３とが合わさるように着用者のウエスト側部に沿った折曲線１ａ，１ａで２つ折りした状態（図１及び図２に示す状態）において、着用者の臀部の下側に沿うように股下部４の最下部４ａの近傍から折曲線１ａまでに亘って連続的に配されている。より具体的には、臀部弾性部材８１は、その最下部８１ａが、股下部４の最下部４ａの近傍に位置し、その最上部８１ｂが、該最下部８１ａよりも上方で且つ後身頃３を縦方向Ｌに二分する仮想線Ｐ２よりも下方に位置するように配されている。臀部弾性部材８１の最下部８１ａと股下部４の最下部４ａとの間の最短距離Ｌ５は、好ましくは０〜５０ｍｍ、更に好ましくは０〜３０ｍｍである。臀部弾性部材８１の最上部８１ｂと仮想線Ｐ２との間の最短距離Ｌ６は、好ましくは０〜１００ｍｍ、更に好ましくは３０〜８０ｍｍである。また、臀部弾性部材８１の最下部８１ａと仮想線Ｐ１との間の最短距離Ｓ３は、好ましくは０〜７０ｍｍ、更に好ましくは２０〜５０ｍｍである。臀部弾性部材８１の最上部８１ｂと該臀部弾性部材８１に最も近い折曲線１ａとの間の最短距離Ｓ４は、好ましくは０〜３０ｍｍ、更に好ましくは０〜１０ｍｍである（本実施形態では、最短距離Ｓ４は０ｍｍであり、図２には、Ｓ４を図示していない）。最短距離Ｌ５、Ｌ６、Ｓ３、Ｓ４は、何れもパッドホルダー１が未伸張（非着用）の自然状態にあるときに測定する。
【００２８】
臀部弾性部材８１は、後身頃３（伸縮性シート１０）に縫い付けられ、あるいは接着剤等の接着手段により貼り付けられる等して、固定されている。臀部弾性部材８１としては、そけい部弾性部材７１と同様のものを用いることができる。臀部弾性部材８１の長さ及び幅、並びに１．５倍伸張時の収縮応力は、そけい部弾性部材７１と同様に設計しても良く、そけい部弾性部材７１と異なるように設計しても良い。
また、上述したそけい部弾性部材７１あるいは臀部弾性部材８１の１．５倍伸張時の収縮応力をＡ、レッグ部弾性部材６１の１．５倍伸張時の収縮応力をＢ、ウエスト部弾性部材５１の１．５倍伸張時の収縮応力をＣとした場合、Ｃ＞Ａ＞Ｂとなるように調整されることが、パッドホルダー及び該パッドホルダーに取り付けられる吸収パッドの身体に対するフィット性が更に向上し、優れた液漏れ防止効果が得られる点で好ましい。
ウエスト部弾性部材５１の１．５倍伸張時の収縮応力（Ｃ）は、好ましくは１８０〜５００ｃＮ、更に好ましくは２３０〜４００ｃＮである。この収縮応力（Ｃ）は、上記の収縮応力の測定方法により測定される。
【００２９】
本実施形態においては、そけい部弾性部材７１と臀部弾性部材８１とがウエスト側部（折曲線１ａ）で連接されて、一体となっている。即ち、本実施形態のパッドホルダー１においては、前身頃２における股下部４の最下部４ａの近傍からウエスト側部（折曲線１ａ）を通って後身頃３における股下部４の最下部４ａの近傍に亘って、弾性部材（そけい部弾性部材７１、臀部弾性部材８１）が途切れることなく連続的に配されている。
【００３０】
また、本実施形態においては、臀部弾性部材８１は、レッグ開口部６側に向けて凸状に湾曲した円弧状を形成するように後身頃３に配されており、従って、臀部ギャザーも該円弧状を形成している。即ち、本実施形態においては、そけいギャザーが、ウエスト開口部５側に向けて凸状に湾曲した円弧状に形成されており、臀部ギャザーが、レッグ開口部６側に向けて凸状に湾曲した円弧状に形成されている。そけいギャザーと臀部ギャザーとは、略等しい曲率で円弧状に湾曲している。そけいギャザーと臀部ギャザーとがこのように形成されていることにより、そけい部を含む足の付け根周りに対するパッドホルダーのフィット性、及び股下部４の股間部へのフィット性の点で、一層の向上が図られる。
【００３１】
本実施形態においては、股下部４の肌対向面上に、伸縮性シート１０よりも伸縮性に劣り且つ防水性を有する股布１１が配されており、前記そけいギャザー（そけい部弾性部材７１）及び前記臀部ギャザー（臀部弾性部材８１）それぞれの一部が股布１１で被覆され、且つ該一部と該一部を被覆している該股布１１との間がそれぞれ接合されている。即ち、股布１１を介してそけいギャザーと臀部ギャザーとが連接されており、連接されたこれらが、着用者のそけい部を含む足の付け根周りに配されている。
斯かる構成について更に説明すると、股布１１は、縦長の矩形形状を有しており、その長手方向一端側が前身頃２に位置し、長手方向他端側が後身頃３に位置し、該一端側と該他端側とに挟まれた長手方向中央部が股下部４に位置するように、前身頃２から股下部４を通って後身頃３に亘って連続的に配されている。股布１１の長手方向一端縁（前縁）１１ａ及び長手方向他端縁（後縁）１１ｂは、それぞれ、パッドホルダー１を縦方向Ｌに二分する仮想線Ｐ２と略同位置にある。股布１１は、前身頃２、後身頃３及び股下部４（伸縮性シート１０）に縫い付けられ、あるいは接着剤等の接着手段により貼り付けられる等して、固定されている。そして、そけい部弾性部材７１，７１それぞれの最下部７１ａ、及び臀部弾性部材８１，８１それぞれの最下部８１ａが股布１１で被覆され、これら弾性部材７１，８１の一部と該一部を被覆している股布１１との間が、縫い付け、あるいは接着剤等の接合手段により接合されている。
【００３２】
パッドホルダー１を前身頃２と後身頃３とが合わさるように着用者のウエスト側部に沿った折曲線１ａ，１ａで２つ折りした状態（図１及び図２に示す状態）において、股布１１の前縁１１ａと股下部４の最下部４ａとの間の最短距離Ｌ７は、好ましくは５０〜２５０ｍｍ、更に好ましくは１００〜２００ｍｍであり、また、股布１１の後縁１１ｂと股下部４の最下部４ａとの間の最短距離Ｌ８は、好ましくは５０〜２５０ｍｍ、更に好ましくは１００〜２００ｍｍである。本実施形態においては、Ｌ７とＬ８は同一に設計されている。最短距離Ｌ７、Ｌ８は、何れもパッドホルダー１が未伸張（非着用）の自然状態にあるときに測定する。
【００３３】
上記のように、股布１１を介してそけいギャザーと臀部ギャザーとが連接されていることにより、パッドホルダー１の着用時において、そけい部を含む足の付け根周りが、前記そけいギャザー（そけい部弾性部材７１）、前記臀部ギャザー（臀部弾性部材８１）及び股布１１によって充分に締め付けられるため、股下部４の身体の股間部へのフィット性が格段に向上し、この結果、吸収パッドを股間部に密着させて、液漏れを効果的に防止することが可能となる。
【００３４】
股布１１としては、伸縮性シート１０よりも伸縮性に劣り且つ防水性を有するものが用いられる。具体的には、１．０Ｎ／５０ｍｍ荷重時の伸度が好ましくは３０％以下、更に好ましくは２０％以下で且つ防水性を有するものが用いられる。本発明で好ましく用いられる股布１１としては、例えば、使い捨ておむつ等の裏面シート等として従来用いられている各種公知の透湿性シートを用いることができる。該透湿性シートとしては、例えば、微多孔性フィルム、あるいはポリウレタンやポリエステルフィルムのような拡散性を利用した無孔性透湿フィルム等が挙げられる。これらの中でも、特に、微多孔性フィルムが好ましい。微多孔性フィルムは、疎水性の熱可塑性樹脂と、炭酸カルシウム等からなる微小な無機フィラー又は該疎水性の熱可塑性樹脂と相溶性のない有機高分子等とを溶融混練してフィルムを形成し、該フィルムを一軸又は二軸延伸して得られる。
尚、股布１１の透湿度は、ＪＩＳ  Ｚ  ０２０８に従い測定された透湿度の値は１．０ｇ／（１００ｃｍ2・ｈｒ）以上であることが好ましい。
【００３５】
股布１１の長手方向の長さは、好ましくは１００〜５００ｍｍ、更に好ましくは１５０〜３５０ｍｍであり、幅（最大幅）は、好ましくは５０〜２００ｍｍ、更に好ましくは１００〜１５０ｍｍであり、厚みは、好ましくは０．０１〜０．１ｍｍ、更に好ましくは０．０２〜０．０７ｍｍである。
【００３６】
また、本実施形態においては、前身頃２における前記そけいギャザー（そけい部弾性部材７１）とウエスト開口部５の開口周縁部との間、及び後身頃３における前記臀部ギャザー（臀部弾性部材８１）とウエスト開口部５の開口周縁部との間それぞれに、パッドホルダー１の横方向Ｓに沿って弾性部材９１が伸張状態で配されて、パッドフィットギャザーが形成されている。斯かる構成により、特に、そけい部を含む足の付け根周りよりも上方に位置する身体部分に対するフィット性が向上し、これにより、パッドホルダー全体として身体へのフィット性が一層向上する。
【００３７】
弾性部材９１（パッドフィットギャザー）について更に説明すると、弾性部材９１は、そけいギャザー（そけい部弾性部材７１）の最上部７１ｂよりも上方、及び臀部ギャザー（臀部弾性部材８１）の最上部８１ｂよりも上方それぞれにおいて、パッドホルダー１の横方向Ｓの中央部に該横方向Ｓに沿って直線状に配されている。前身頃２に配されている弾性部材９１と後身頃３に配されている弾性部材９１とは互いに独立しており、連接していない。また、パッドホルダー１を前身頃２と後身頃３とが合わさるように着用者のウエスト側部に沿った折曲線１ａ，１ａで２つ折りした状態（図１及び図２に示す状態）において、前身頃２に配されている弾性部材９１とそけい部弾性部材７１の最上部７１ｂとの間の最短距離Ｌ９は、好ましくは０〜７０ｍｍ、更に好ましくは２０〜５０ｍｍであり、また、後身頃３に配されている弾性部材９１と臀部弾性部材８１の最上部８１ｂとの間の最短距離Ｌ１０は、好ましくは０〜７０ｍｍ、更に好ましくは２０〜５０ｍｍである。Ｌ９とＬ１０とは、同じでも良く、異なっていても良い。最短距離Ｌ９、Ｌ１０は、何れもパッドホルダー１が未伸張（非着用）の自然状態にあるときに測定する。
【００３８】
弾性部材９１は、前身頃２及び後身頃３それぞれにおいて、その一部、具体的には長手方向中央部が、股布１１で被覆されている。即ち、弾性部材９１は、縦長の股布１１の非肌対向面側を、該股布１１の長手方向と直交する幅方向に沿って横断するように配されている。弾性部材９１における股布１１によって被覆されている部分と該股布１１との間は、接合されていても良く、接合されていなくても良い。これらの間を接合する場合、接合手段としては、縫い付けや接着剤等を用いることができる。弾性部材９１における股布１１によって被覆されている部分と該股布１１との間は、パッドホルダー１に取り付けられる吸収パッドの身体に対する密着性を向上させることから、接合されていることが好ましい。
【００３９】
弾性部材９１は、前身頃２及び後身頃３それぞれを形成する伸縮性シート１０に縫い付けられ、あるいは接着剤等の接着手段により貼り付けられる等して、固定されている。弾性部材９１としては、上述したウエスト部弾性部材５１と同様のものを用いることができる。
弾性部材９１の長さは、好ましくは１００〜３５０ｍｍ、更に好ましくは１５０〜２５０ｍｍであり、幅は、好ましくは１〜３０ｍｍ、更に好ましくは３〜１５ｍｍである。
【００４０】
弾性部材９１の１．５倍伸張時の収縮応力（Ｄ）は、好ましくは１５〜１５０ｃＮ、更に好ましくは２０〜１００ｃＮである。この収縮応力（Ｄ）は、上記の収縮応力の測定方法により測定される。
また、上記収縮応力（Ｄ）は、上述したそけい部弾性部材７１の１．５倍伸張時の収縮応力あるいは臀部弾性部材８１の１．５倍伸張時の収縮応力（Ａ）、及びレッグ部弾性部材６１の１．５倍伸張時の収縮応力（Ｂ）との関係において、Ａ＞Ｂ＞Ｄとなるように調整されることが、パッドホルダー１に取り付けられる吸収パッドの身体の股間部へのフィット性、及びパッドホルダー１の引き上げ容易性の点で好ましい。
【００４１】
上述の如き構成のパッドホルダー１は、従来のこの種のパッドホルダーと同様に着用され、使用される。先ず、股下部４の肌対向面（股布１１の肌対向面）上に吸収パッドを取り付け、次いで、一対のレッグ開口部６，６に足を挿通させる。吸収パッドとしては、この種のパッドホルダーに適用可能なものを特に制限無く用いることができ、例えば生理用ナプキン、尿取りパッド、軽失禁者用パッド等を用いることができる。そして、この状態からパッドホルダー１を上方に引き上げて、ウエスト開口部５の開口周縁部を着用者のウエスト部分に密着させる。
【００４２】
このとき、伸縮性シート１０の作用によって、パッドホルダー１の引き上げがスムーズに行われると共に、前記そけいギャザー（そけい部弾性部材７１）が着用者のそけい部にフィットし、これにより、股下部４に取り付けられた吸収パッドが股間部に密着され、この密着状態が維持される。この結果、吸収パッドの本来の性能が充分に活かされ、吸収パッドの位置ズレなどに起因する液漏れが効果的に防止される。
【００４３】
特に、本実施形態のように、そけいギャザーに加えて臀部ギャザー（臀部弾性部材８１）が配されていると共に、股下部４の肌対向面側に、伸縮性シート１０よりも伸縮性に劣り且つ防水性を有する股布１１が配され、該そけいギャザー及び該臀部ギャザーそれぞれの一部が該股布１１で被覆され、且つ該一部と該一部を被覆している該股布との間がそれぞれ接合されている場合には、そけい部を含む足の付け根周りに対するパッドホルダー１のフィット性が格段に向上しているため、股下部４の股間部へのフィット性が特に優れたものとなり、より優れた液の防漏効果が奏される。
更に、パッドフィットギャザー（弾性部材９１）が形成されていることにより、特に、そけい部を含む足の付け根周りよりも上方に位置する身体部分に対するパッドホルダー１のフィット性が向上し、パッドホルダー１全体として身体へのフィット性が一層向上する。
【００４４】
本実施形態のパッドホルダー１に取り付けられた吸収パッドが使用により液を吸収し難くなったときは、吸収パッドのみを新しいものと交換すればよく、該パッドホルダー１は、必要に応じ洗濯した後、再利用することができる。従って、本実施形態のパッドホルダー１を使用することによって、ゴミの量を最小限に抑えることができ、コストの削減を図ることができる。
【００４５】
以上、本発明をその好ましい実施形態に基づき説明したが、本発明は前記実施形態に制限されない。
例えば、そけいギャザー（そけい部弾性部材７１）は、そけい部に沿って形成されていればよく、前記実施形態のような円弧状に制限されず、直線状であっても良い。また、臀部ギャザー（臀部弾性部材８１）は、臀部（臀部の下側）に沿って形成されていればよく、前記実施形態のような円弧状に制限されず、直線状であっても良い。
また、前記実施形態においては、そけいギャザーと臀部ギャザーとがウエスト側部（折曲線１ａ）で連接されて一体となっていたが、両者は連接されていなくても良い。
【００４６】
また、前記実施形態においては、前身頃２、後身頃３及び股下部４は、接合部分がないように丸編みにて接合されて構成され、パッドホルダー１が、連続する１枚の伸縮性シート１０から実質的に形成されていたが、このような構成に換えて、前身頃２、後身頃３及び股下部４の各々のパーツを縫合してパッドホルダー１を構成し、各々のパーツの両端周縁部が縫合してあっても良い。
【図面の簡単な説明】
【００４７】
【図１】本発明のパッドホルダーの一実施形態を前身頃と後身頃とが合わさる２つ折り状態で示した正面（前身頃側）図である。
【図２】図１に示す２つ折り状態のパッドホルダーの背面（後身頃側）図である。
【図３】図１に示すパッドホルダーを立体形状の状態で示した斜視図である。
【符号の説明】
【００４８】
１  パッドホルダー
２  前身頃
３  後身頃
４  股下部
４ａ  股下部の最下部
５  ウエスト開口部
５１  ウエスト部弾性部材
６  レッグ開口部
６１  レッグ部弾性部材
７１  そけい部弾性部材
７１ａ  そけい部弾性部材の最下部
７１ｂ  そけい部弾性部材の最上部
８１  臀部弾性部材
８１ａ  臀部弾性部材の最下部
８１ｂ  臀部弾性部材の最上部
９１  パッドフィットギャザー形成用弾性部材
１０  伸縮性シート
１１  股布
１ａ  パッドホルダーを前身頃と後身頃とが合わさるように２つ折りしたときに形成される折曲線
【図１】
2008284038.tif 000003
【図２】
2008284038.tif 000004
【図３】
2008284038.tif 000005